(57)【要約】【課題】騒音を低減できるファンモータの取り付け構造及び冷蔵庫を提供する。【解決手段】吸気面１０ｂと排気面１０ｃとが対向するファンケース１０ａを有したファンモータ１０を取り付けるファンモータ１０の取り付け構造において、吸気面１０ｂを下方にして傾斜したファンケース１０ａがシール材１３を介して遊嵌される支持枠４ａ、１２ｂと、吸気面１０ｂが載置される支持部１１ａ、１２ａと、支持枠１１ａ、１２ａとファンケース１０ａの周面とが嵌合する幅よりも狭い隙間Ｄを有して排気面１０ｃに対向する対向部７ａとを備えた。【選択図】図３
2010230286.tif 000002
【特許請求の範囲】
【請求項１】
吸気面と排気面とが対向するファンケースを有したファンモータを取り付けるファンモータの取り付け構造において、前記吸気面を下方にして傾斜した前記ファンケースがシール材を介して遊嵌される支持枠と、前記吸気面が載置される支持部と、前記支持枠と前記ファンケースの周面とが嵌合する幅よりも狭い隙間を有して前記排気面に対向する対向部とを備えたことを特徴とするファンモータの取り付け構造。
【請求項２】
前記吸気面に沿って延びるリブを前記支持部の上面に突設したたことを特徴とする請求項１に記載のファンモータの取り付け構造。
【請求項３】
前記支持部と前記吸気面との間に緩衝材を設けたことを特徴とする請求項１または請求項２に記載のファンモータの取り付け構造。
【請求項４】
前記シール材が軟質ポリウレタンフォームから成ることを特徴とする請求項１〜請求項３のいずれかに記載のファンモータの取り付け構造。
【請求項５】
請求項１〜請求項４のいずれかに記載のファンモータの取り付け構造を備え、前記ファンモータにより冷気を送出することを特徴とする冷蔵庫。
【請求項６】
前記対向部が前記排気面の中央部に対向するとともに前記排気面から上方及び下方に冷気を導くことを特徴とする請求項５に記載の冷蔵庫。
【発明の詳細な説明】
【技術分野】
【０００１】
本発明は、ファンモータの取り付け構造及びファンモータを有した冷蔵庫に関する。
【背景技術】
【０００２】
図１２はファンモータを有する従来の冷蔵庫の側面断面図を示している。冷蔵庫１は断熱箱体４により冷蔵室２及び冷凍室３が区画される。冷凍室３の背後には冷却器（不図示）が配される冷気通路５が設けられ、冷気通路５の上部にはファンモータ１０が配されるファンモータ室５ａが形成される。ファンモータ１０の下流側には冷蔵室２の背後に冷気通路８が設けられ、冷凍室３の冷気通路５の前方に冷気通路９が設けられる。冷気通路８の前面は冷蔵室２の背面に配される断熱板７により覆われる。
【０００３】
ファンモータ１０は平面視矩形のファンケース１０ａにより覆われ、吸気面１０ｂと排気面１０ｃとが対向する。ファンモータ室５ａ内でファンモータ１０は吸気面１０ｂを下方にして傾斜して配置される。ファンモータ室５ａは前面を開口し、開口の周囲は断熱箱体４によってファンケース１０ａの周囲の上部及び両側部に対向する枠部４ａが形成される。枠部４ａの上面は傾斜面になっている。
【０００４】
ファンモータ室５ａの上部及び下部にはそれぞれ樹脂成形品の保持部材１１、１２が配される。上方の保持部材１１は断熱箱体４の枠部４ａの上面に沿って配される。また、保持部材１１はファンケース１０ａの左右の端部の吸気面１０ｂ側及び排気面１０ｃ側にそれぞれ支持部１１ａ及び係合爪１１ｅが設けられる。
【０００５】
下方の保持部材１２はファンケース１０ａの周面の下部に対向する枠部１２ｂを有している。また、保持部材１２はファンケース１０ａの左右の端部の吸気面１０ｂ側及び排気面１０ｃ側にそれぞれ支持部１２ａ及び係合爪１２ｅが設けられる。
【０００６】
ファンモータ１０は枠部４ａ、１２ｂの内側に嵌装され、支持部１１ａ、１２ａ上に配される。そして、支持部１１ａ、１２ａと係合爪１１ｅ、１２ｅとによりファンケース１０ａを挟持してファンモータ１０が固定される。また、ファンケース１０ａの周面と枠部４ａ、１２ｂとの間にはシール材１３が充填される。
【０００７】
ファンモータ１０の駆動により、冷却器で生成された冷気は冷気通路５を流通する。冷気通路５を流通する冷気は吸気面１０ｂからファンケース１０ａ内に流入し、排気面１０ｃから排気される。ファンモータ１０から排気された冷気は冷気通路８、９に分岐し、冷蔵室２及び冷凍室３に吐出される。これにより、冷蔵室２及び冷凍室３の冷却が行われる。
【先行技術文献】
【特許文献】
【０００８】
【特許文献１】特開平８−２８９０５号公報（第２頁、第２図）
【特許文献２】特開２００２−２５１１１２号公報（第３頁−第６頁、第３図）
【発明の概要】
【発明が解決しようとする課題】
【０００９】
しかしながら、上記従来の冷蔵庫１によると、ファンモータ１０のファンケース１０ａは支持部１１ａ、１２ａと係合爪１１ｅ、１２ｅとの間に挟持される。このため、ファンモータ１０の振動が保持部材１１、１２を介して断熱箱体４に伝わり、騒音が発生する問題があった。
【００１０】
本発明は、騒音を低減できるファンモータの取り付け構造及び冷蔵庫を提供することを目的とする。
【課題を解決するための手段】
【００１１】
上記目的を達成するために本発明は、吸気面と排気面とが対向するファンケースを有したファンモータを取り付けるファンモータの取り付け構造において、前記吸気面を下方にして傾斜した前記ファンケースがシール材を介して遊嵌される支持枠と、前記吸気面が載置される支持部と、前記支持枠と前記ファンケースの周面とが嵌合する幅よりも狭い隙間を有して前記排気面に対向する対向部とを備えたことを特徴としている。
【００１２】
この構成によると、ファンモータのファンケースは傾斜し、周囲にシール材を配して支持枠内に遊嵌される。ファンケースの下方の吸気面は支持部上に載置され、ファンモータの駆動時には自重及び排気の吹出し力によってファンモータが支持部の方向に押圧される。ファンケースの排気面には隙間を介して対向部が配される。ファンモータを取り付けた装置を搬送する際にファンモータが支持部から離れると、シール材が変形してファンケースと支持枠が嵌合した状態で対向部が排気面に当接する。これにより、ファンモータは自重及びシール材の弾性力により支持部上に戻り、脱落が防止される。
【００１３】
また本発明は、上記構成のファンモータの取り付け構造において、前記吸気面に沿って延びるリブを前記支持部の上面に突設したことを特徴としている。この構成によると、支持部とファンケースとが線接触する。
【００１４】
また本発明は、上記構成のファンモータの取り付け構造において、前記支持部と前記吸気面との間に緩衝材を設けたことを特徴としている。この構成によると、緩衝材によってファンモータから支持部に伝えられる振動が減衰される。
【００１５】
また本発明は、上記構成のファンモータの取り付け構造において、前記シール材が軟質ポリウレタンフォームから成ることを特徴としている。
【００１６】
また本発明の冷蔵庫は、上記構成のファンモータの取り付け構造を備え、前記ファンモータにより冷気を送出することを特徴としている。
【００１７】
また本発明は、上記構成の冷蔵庫において、前記対向部が前記排気面の中央部に対向するとともに前記排気面から上方及び下方に冷気を導くことを特徴としている。この構成によると、対向部は排気面の中央部に対向し、ファンモータの排気面から排気された冷気は対向部の周囲を通って上方及び下方に導かれる。
【発明の効果】
【００１８】
本発明によると、傾斜したファンケースが下方の吸気面を支持部に載置して支持枠にシール材を介して遊嵌されるので、ファンモータの振動の伝達が抑制され、騒音を低減することができる。また、排気面に隙間を有して対向部が対向するので、ファンモータを取り付けた装置を搬送する際にファンモータが支持部から離れても対向部に当接し、自重及びシール材の弾性力により支持部上に戻る。従って、従来例のような排気面側に係止される係合爪を必要とせず、支持枠に遊嵌したファンモータの脱落を防止することができる。
【図面の簡単な説明】
【００１９】
【図１】本発明の第１実施形態の冷蔵庫を示す正面図
【図２】本発明の第１実施形態の冷蔵庫を示す側面断面図
【図３】本発明の第１実施形態の冷蔵庫のファンモータを示す斜視図
【図４】本発明の第１実施形態の冷蔵庫のファンモータの取り付け構造を示す側面断面図
【図５】図４のＧ部拡大図
【図６】図４のＨ部拡大図
【図７】本発明の第１実施形態の冷蔵庫のファンモータの取り付け構造を示す上面図
【図８】本発明の第１実施形態の冷蔵庫の保持部材を示す斜視図
【図９】本発明の第２実施形態の冷蔵庫のファンモータの取り付け構造を示す側面断面図
【図１０】本発明の第２実施形態の冷蔵庫のファンモータの取り付け構造を示す上面図
【図１１】本発明の第２実施形態の冷蔵庫の保持部材を示す斜視図
【図１２】従来の冷蔵庫のファンモータの取り付け構造を示す側面断面図
【発明を実施するための形態】
【００２０】
以下に本発明の実施形態を図面を参照して説明する。図１、図２は第１実施形態の冷蔵庫を示す正面図及び側面断面図である。説明の便宜上、前述の図１２に示す従来例と同一の部分は同一の符号を付している。冷蔵庫１は断熱壁４ｂと一体化される断熱箱体４を有し、断熱壁４ｂにより冷蔵室２及び冷凍室３が上下に区画される。冷蔵室２及び冷凍室３の前面開口部はそれぞれ扉２ａ、３ａにより開閉される。
【００２１】
冷凍室３の背後には冷却器６が配される冷気通路５が設けられ、冷気通路５の上部にはファンモータ１０が配されるファンモータ室５ａが形成される。ファンモータ室５ａは正面から見て断熱壁４ｂと重なる位置に設けられる。これにより、冷蔵室２及び冷凍室３の庫内容積を広く確保することができる。
【００２２】
ファンモータ１０の下流側には冷蔵室２の背後に冷気通路８が設けられ、冷凍室３の冷気通路５の前方に冷気通路９が設けられる。冷気通路８の前面は冷蔵室２の背面に配される断熱板７により覆われ、上部に吐出口８ａが開口する。冷蔵室２の右方下部には冷気通路５に冷気を戻す戻り口２ｂが形成される。冷気通路９は冷凍室３の上部に吐出口９ａ、９ｂが開口する。吐出口９ｂの下方には冷気通路５に冷気を戻す戻り口３ｂが形成される。
【００２３】
図３はファンモータ１０の前面側から見た斜視図を示している。ファンモータ１０は羽根車及びモータ（いずれも不図示）を平面視矩形のファンケース１０ａにより覆った軸流ファンから成っている。ファンケース１０ａは吸気口（不図示）を開口する吸気面１０ｂと排気口１０ｄを開口する排気面１０ｃとが対向する。排気面１０ｃの中央部にはモータの背面を覆う遮蔽部１０ｅが設けられる。
【００２４】
図４はファンモータ１０近傍の詳細を示す側面断面図である。また、図５、図６はそれぞれ図４のＧ部拡大図及びＨ部拡大図を示している。ファンモータ１０はファンモータ室５ａ内で吸気面１０ｂを下方にして傾斜して配置される。ファンモータ室５ａは前面を開口し、開口の周囲は断熱箱体４によってファンケース１０ａの周囲の上部及び両側部に対向する枠部４ａが形成される。枠部４ａの上面は後方が下がる傾斜面になっている。
【００２５】
ファンモータ室５ａの上部及び下部にはそれぞれ樹脂成形品の保持部材１１、１２が配される。上方の保持部材１１は断熱箱体４の枠部４ａの上面に沿って配される。また、保持部材１１はファンケース１０ａの左右の端部の吸気面１０ｂ側に支持部１１ａが設けられる。
【００２６】
下方の保持部材１２はファンケース１０ａの周面の下部に対向する枠部１２ｂを有している。また、保持部材１２はファンケース１０ａの左右の端部の吸気面１０ｂ側に支持部１２ａが設けられる。
【００２７】
ファンケース１０ａの周面にはシール材１３が設けられる。シール材１３は例えば、２５％に圧縮した時の圧縮応力が１０．２ｋＰａ程度の軟質ポリウレタンフォーム等の柔らかい素材が用いられる。従来のシール材１３は２５％に圧縮した時の圧縮応力が３１ｋＰａ程度の軟質ポリエチレンフォーム等が用いられる。このため、本実施形態のシール材１３は従来に比して１／２以下の圧縮応力になっている。
【００２８】
シール材１３の圧縮応力が小さいため、ファンモータ１０はシール材１３とともに吸気面１０ｂに垂直な方向に移動可能なように枠部４ａ、１２ｂの内側に遊嵌される。そして、ファンモータ１０の吸気面１０ｂが支持部１１ａ、１２ａ上に載置される。即ち、枠部４ａ、１２ｂはファンモータ１０が遊嵌される支持枠を構成する。この時、シール材１３は圧縮応力が小さいため、図５、図６に示すようにファンモータ１０の自重によって上部前方及び下部後方が縮むように変形する。
【００２９】
図７はファンモータ室５ａの上面図を示している。また、図８は保持部材１２の斜視図を示している。保持部材１２の支持部１２ａの左右端には上下方向に延びるリブ１２ｃが突設される。リブ１２ｃは吸気面１０ｂに沿って形成され、吸気面１０ｂに線接触する。これにより、支持部１２ａとファンケース１０ａとの接触面積を狭くすることができる。また、保持部材１１にも同様のリブ１１ｃ（図５参照）が形成されている。
【００３０】
図３、図４において、冷蔵室２の背面に配される断熱板７にはファンケース１０ａの中央の遮蔽部１０ｅに隙間Ｄを介して対向する柱状の対向部７ａが形成される。隙間Ｄは枠部４ａ、１２ｂとファンケース１０ａとの嵌合する幅（吸気面１０ｂに垂直な方向の長さ）よりも狭くなっている。
【００３１】
上記構成の冷蔵庫１において、ファンモータ１０を駆動すると冷却器６で生成された冷気は冷気通路５を流通する。冷気通路５を流通する冷気は吸気面１０ｂからファンケース１０ａ内に流入し、排気面１０ｃから排気される。ファンモータ１０から排気された冷気は上方の冷気通路８及び下方の冷気通路９に分岐する。
【００３２】
冷気通路８を流通する冷気は吐出口８ａから冷蔵室２に吐出され、冷蔵室２内を流通して貯蔵物を冷却する。冷蔵室２を流通した冷気は戻り口２ｂを介して冷気通路５に戻る。冷気通路９を流通する冷気は吐出口９ａ、９ｂから冷凍室３に吐出され、冷凍室３内を流通して貯蔵物を冷却する。冷凍室３を流通した冷気は戻り口３ｂを介して冷気通路５に戻る。
【００３３】
ファンモータ１０は排気面１０ｃを上方に設置されてシール材１３の圧縮応力が小さいため、自重及び排気の吹出し力によって支持部１１ａ、１２ａの方向に押圧される。これにより、枠部４ａ、１２ｂに遊嵌されるファンモータ１０は支持部１１ａ、１２ａから離れずに位置決めされる。
【００３４】
冷蔵庫１の搬送等の際にファンモータ１０が支持部１１ａ、１２ａから離れると、シール材１３が変形してファンケース１０ａと枠部４ａ、１２ｂとが嵌合した状態で対向部７ａが排気面１０ｃに当接する。これにより、ファンモータ１０は自重及びシール材１３の弾性力により支持部１１ａ、１２ａ上に戻り、脱落が防止される。
【００３５】
本実施形態によると、傾斜したファンケース１０ａは下方の吸気面１０ｂを支持部１１ａ、１２ａに載置して枠部４ａ、１２ｂ（支持枠）にシール材１３を介して遊嵌されるので、ファンモータ１０の振動の伝達が抑制され、騒音を低減することができる。また、排気面１０ｃに隙間Ｄを有して対向部７ａが対向するので、冷蔵庫１を搬送する際にファンモータ１０が支持部１１ａ、１２ａから離れても対向部７ａに当接し、自重及びシール材１３の弾性力により支持部７ａ上に戻る。従って、従来例のようなファンケース１０ａの排気面側に係止される係合爪１１ｅ、１２ｅ（図１２参照）を必要とせず、枠部４ａ、１２ｂに遊嵌したファンモータ１０の脱落を防止することができる。
【００３６】
尚、ファンモータ１０は取り付け時に支持部１１ａ、１２ａと微小な隙間を有して離れた状態でもよい。この時、シール材１３の圧縮応力が小さいためファンモータ１０は駆動時に排気によって支持部１１ａ、１２ａに当接する。また、輸送時や設置時に冷蔵庫１に衝撃が一時的に加わってもシール材１３の弾性範囲を超えたファンモータ１０の位置ずれを支持部１１ａ、１２ａにより防止することができる。
【００３７】
また、吸気面１０ｂに沿って延びるリブ１１ｃ、１２ｃを支持部１１ａ、１２ａの上面に突設したので、支持部１１ａ、１２ａとファンケース１０ａとが線接触して接触面積を狭くすることができる。従って、ファンモータ１０の振動の伝達が更に抑制され、騒音をより低減することができる。
【００３８】
また、シール材１３が圧縮応力の小さい軟質ポリウレタンフォームから成るので、ファンモータ１０を容易に遊嵌することができる。
【００３９】
また、対向部７ａが排気面１０ｃの中央部に対向し、排気面１０ｃから上方の冷気通路８及び下方の冷気通路９に冷気を導くので、対向部７ａによって冷気の流通が妨げられない。従って、対向部７ａを設けたことによる送風効率の低下を防止することができる。
【００４０】
次に、図９は第２実施形態の冷蔵庫１のファンモータ１０近傍の詳細を示す側面断面図である。説明の便宜上、前述の図１〜図８に示す第１実施形態と同一の部分は同一の符号を付している。本実施形態は保持部材１１、１２に設けられるリブ１１ｃ、１２ｃ（図５、図６参照）に替えて突起部１１ｄ、１２ｄが設けられる。その他の部分は第１実施形態と同様である。
【００４１】
図１０はファンモータ室５ａの上面図を示している。また、図１１は保持部材１２の斜視図を示している。保持部材１２の支持部１２ａの左右端には突起部１２ｄが設けられる。突起部１２ｄはＰＥＴ等の緩衝材を貼着して形成され、吸気面１０ｂと略点接触する。保持部材１１の突起部１１ｄも同様に構成される。これにより、突起部１１ｄ、１２ｄによって支持部１２ａとファンケース１０ａとの接触面積をより狭くできるとともに振動を減衰させることができる。
【００４２】
本実施形態によると、第１実施形態と同様の効果を得ることができる。また、支持部１１ａ、１２ａに緩衝材から成る突起部１１ｄ、１２ｄを設けたので、支持部１２ａとファンケース１０ａとの接触面積をより狭くし、振動を減衰させることができる。従って、ファンモータ１０の振動の伝達が更に抑制され、騒音をより低減することができる。尚、第１実施形態の保持部材１１、１２のリブ１１ｃ、１２ｃ上に同様の緩衝材を設けてもよい。
【００４３】
第１、第２実施形態において、ファンモータ１０が冷蔵庫１に設けられるが、他の機器に設けてもよい。ファンモータ１０を有する機器に同様のファンモータ１０の取り付け構造を設けることにより、振動の低減及びファンモータ１０の脱落防止を図ることができる。
【産業上の利用可能性】
【００４４】
本発明によると、ファンモータを有する冷蔵庫等の機器に利用することができる。
【符号の説明】
【００４５】
１    冷蔵庫
２    冷蔵室
３    冷凍室
４    断熱箱体
４ａ、１２ｂ  枠部
５、８、９  冷気通路
５ａ  ファンモータ室
６    冷却器
７    断熱板
７ａ  対向部
１０    ファンモータ
１０ａ  ファンケース
１０ｂ  吸気面
１０ｃ  排気面
１０ｅ  遮蔽部
１１、１２  保持部材
１１ａ、１２ａ  支持部
１１ｃ、１２ｃ  リブ
１１ｄ、１２ｄ  突起部
【図１】
2010230286.tif 000003
【図２】
2010230286.tif 000004
【図３】
2010230286.tif 000005
【図４】
2010230286.tif 000006
【図５】
2010230286.tif 000007
【図６】
2010230286.tif 000008
【図７】
2010230286.tif 000009
【図８】
2010230286.tif 000010
【図９】
2010230286.tif 000011
【図１０】
2010230286.tif 000012
【図１１】
2010230286.tif 000013
【図１２】
2010230286.tif 000014